(57)【要約】【課題】射出成形機用の金型の温度調整を行う金型温調装置のエネルギー効率を向上させる。【解決手段】二酸化炭素を作動媒体（冷媒）として循環させることにより、冷媒体から熱媒体に熱を移動させるヒートポンプ１と、温度計８により測定された金型５の温度と、射出成形機６を制御する射出成形制御部７からの射出工程に関する情報とに基づいて、冷媒体の流量を調整するバルブ３、及び熱媒体の流量を調整するバルブ４を制御し、金型５を所望の温度に制御する温度制御部２と、を備える。【選択図】  図１
2005007736.tif 000002
【特許請求の範囲】
【請求項１】
加熱用の熱媒体、及び冷却用の冷媒体を射出成形用の金型に供給する金型温調装置において、
作動媒体を循環させることにより、前記冷媒体から前記熱媒体に熱を移動させるヒートポンプを備えた金型温調装置。
【請求項２】
前記ヒートポンプは、
前記作動媒体を圧縮する圧縮機と、
前記圧縮機により圧縮された作動媒体と、前記熱媒体との熱交換を行う第１の熱交換器と、
前記第１の熱交換器で熱交換された前記作動媒体を膨張させる膨張弁と、
前記膨張弁で膨張した前記作動媒体と、前記冷媒体との熱交換を行う第２の熱交換器と、を有する、請求項１記載の金型温調装置。
【請求項３】
前記ヒートポンプは、前記作動媒体と、成形材料を乾燥させる乾燥機内の空気との熱交換を行う第３の熱交換器をさらに有する、請求項２記載の金型温調装置。
【請求項４】
前記第３の熱交換器は、前記圧縮機により圧縮された作動媒体と、前記乾燥機内の空気との熱交換を行う、請求項３記載の金型温調装置。
【請求項５】
前記ヒートポンプは、前記圧縮機により圧縮された作動媒体と、射出成形機のシリンダとの熱交換を行う第４の熱交換器をさらに有する、請求項２から４のいずれか記載の金型温調装置。
【請求項６】
前記ヒートポンプは、前記膨張弁で膨張した作動媒体と、外気との熱交換を行う第５の熱交換器をさらに有する、請求項２から５のいずれか記載の金型温調装置。
【請求項７】
前記冷媒体を、射出成形機を制御する射出成形制御部の冷却に用いる、請求項１から６のいずれか記載の金型温調装置。
【請求項８】
前記金型を循環する前記熱媒体、及び前記冷媒体の流量を制御する制御部をさらに備えた、請求項１から７のいずれか記載の金型温調装置。
【請求項９】
前記作動媒体は自然冷媒である、請求項１から８のいずれか記載の金型温調装置。
【請求項１０】
前記自然冷媒は二酸化炭素である、請求項９記載の金型温調装置。
【発明の詳細な説明】
【０００１】
【発明の属する技術分野】
本発明は、射出成形機の金型に冷媒体と熱媒体を供給する金型温調装置に関する。
【０００２】
【従来の技術】
射出成形による溶融材料の成形において、成形品の高品質化を図るために、金型温度を調整するための冷媒体及び熱媒体を供給する金型温調装置が用いられている。特に、溶融材料を金型に注入する際には、充填不足や、フローマーク（金型キャビティ内の成形材料の流れの跡が成形品に残った外観上の欠陥）などの外観不良を防止するために、金型に熱媒体を循環させることにより金型を加熱あるいは保温し、その後、金型のキャビティに充填された熱可塑性の溶融材料を冷却するために、金型に冷媒体を循環させることにより金型を冷却することが行われていた（例えば、特許文献１参照）。
【０００３】
その熱媒体の加熱は、電熱ヒーターにより行われ、冷媒体の冷却は、Ｒ２２などを作動媒体（冷媒）として用いた冷却機により行われていた。
【０００４】
【特許文献１】
特開平１０−１００２１６号公報（第２頁−第３頁、第１図等）
【０００５】
【発明が解決しようとする課題】
しかしながら、電熱ヒーターにより熱媒体を加熱し、冷却機により冷媒体を冷却することは、電力消費量が多くなるという問題があった。
本発明は上記問題点を解決するためになされたものであり、電力消費量を削減可能な金型温調装置を提供することを目的とする。
【０００６】
【課題を解決するための手段】
上記目的を達成するため、本発明による金型温調装置は、加熱用の熱媒体、及び冷却用の冷媒体を射出成形用の金型に供給する金型温調装置において、作動媒体を循環させることにより、前記冷媒体から前記熱媒体に熱を移動させるヒートポンプを備えたものである。
【０００７】
このように構成された本発明によれば、冷媒体の冷却に所定の作動媒体を循環させる冷却機を用い、熱媒体の加熱に電熱ヒーターなどを用いる場合に比べ、消費電力を削減することができ、エネルギー効率を向上させることができる。
【０００８】
また、本発明による金型温調装置では、前記ヒートポンプが、前記作動媒体を圧縮する圧縮機と、前記圧縮機により圧縮された作動媒体と、前記熱媒体との熱交換を行う第１の熱交換器と、前記第１の熱交換器で熱交換された前記作動媒体を膨張させる膨張弁と、前記膨張弁で膨張した前記作動媒体と、前記冷媒体との熱交換を行う第２の熱交換器と、を有してもよい。
このように構成された本発明によれば、単一の圧縮機を用いることにより、熱媒体と冷媒体を金型に供給することができる。
【０００９】
また、本発明による金型温調装置では、前記ヒートポンプが、前記作動媒体と、成形材料を乾燥させる乾燥機内の空気との熱交換を行う第３の熱交換器をさらに有してもよい。
このように構成された本発明によれば、ヒートポンプを用いて、成形材料の乾燥を行うことができる。
【００１０】
また、本発明による金型温調装置では、前記第３の熱交換器が、前記圧縮機により圧縮された作動媒体と、前記乾燥機内の空気との熱交換を行ってもよい。
このように構成された本発明によれば、電熱ヒーターのみで成形材料を乾燥させる場合よりも、成形材料の乾燥で消費される電力量を削減することができる。
【００１１】
また、本発明による金型温調装置では、前記ヒートポンプが、前記圧縮機により圧縮された作動媒体と、射出成形機のシリンダとの熱交換を行う第４の熱交換器をさらに有してもよい。
このように構成された本発明によれば、ヒートポンプによりシリンダの加熱を行うことができ、シリンダを加熱するバンドヒーターの消費電力を削減することができる。
【００１２】
また、本発明による金型温調装置では、前記ヒートポンプが、前記膨張弁で膨張した作動媒体と、外気との熱交換を行う第５の熱交換器をさらに有してもよい。
このように構成された本発明によれば、ヒートポンプにより、金型温調装置や射出成形機の環境温度を下げることができる。
【００１３】
また、本発明による金型温調装置では、前記冷媒体を、射出成形機を制御する射出成形制御部の冷却に用いてもよい。
このように構成された本発明によれば、射出成形制御部の冷却を行うことにより、射出成形制御部の熱暴走等の誤作動を防止することができる。また、その誤作動の防止のために別途冷却装置を設ける場合よりも、コストを削減することができる。
【００１４】
また、本発明による金型温調装置では、前記金型を循環する前記熱媒体、及び前記冷媒体の流量を制御する制御部をさらに備えてもよい。
【００１５】
また、本発明による金型温調装置では、前記作動媒体が自然冷媒であってもよい。
このように構成された本発明によれば、作動媒体として自然冷媒を用いることで、例えば、Ｒ２２などの作動媒体を用いた場合と比べて、環境への悪影響を抑えることができる。
【００１６】
また、本発明による金型温調装置では、前記自然冷媒は二酸化炭素であってもよい。
このように構成された本発明によれば、環境破壊を防止することができ、エネルギー効率を向上させることができる。
【００１７】
【発明の実施の形態】
（実施の形態１）
本発明の実施の形態１による金型温調装置について、図面を参照しながら説明する。本実施の形態による金型温調装置は、ヒートポンプにより、冷媒体から熱媒体への熱の移動を行うものである。
【００１８】
図１は、本実施の形態による金型温調装置の構成を示すブロック図である。本実施の形態による金型温調装置１０は、ヒートポンプ１と、温度制御部２と、バルブ３，４と、タンク１５，１６とを備える。
【００１９】
ヒートポンプ１は、冷媒体から熱媒体へ熱を移動させる。すなわち、冷媒体から熱を奪い、その奪った熱を熱媒体に放熱する。ここで、冷媒体は、金型５を冷却するために金型５の冷却用管路を循環する媒体であり、例えば、冷水や油、エチレングリコールなどである。また熱媒体は、金型５を加熱するために金型５の加熱用管路を循環する媒体であり、例えば、温水や油、エチレングリコールなどである。なお、本実施の形態では、冷却用管路と、加熱用管路とが別々の場合について説明するが、冷媒体と熱媒体が循環する管路は同一のものでもよい。
【００２０】
温度制御部２は、金型５を循環する熱媒体、及び冷媒体の流量を制御する。すなわち、射出成形機６の各工程を制御する射出成形制御部７から、射出成形機６の工程を示す情報である工程情報を受け取り、金型５の温度を測定する温度計８から、金型５の温度を示す情報である温度情報を受け取り、工程情報と温度情報とに基づいて、冷媒体の流量を調整するバルブ３、及び熱媒体の流量を調整するバルブ４の開閉量を制御し、射出成形の各工程ごとに、金型５を所望の温度に制御する。
【００２１】
タンク１５，１６は、それぞれ冷媒体、熱媒体を貯蔵するバッファタンクである。例えば、ヒートポンプ１を作動させているが冷媒体を金型５に循環させていない場合には、ヒートポンプ１で冷却された冷媒体がタンク１５に貯えられ、金型５を冷却する場合にはそのタンク１５の冷媒体が使用される。このタンク１５，１６があることにより、金型５を循環する冷媒体、熱媒体の量が、ヒートポンプ１で冷却、加熱される冷媒体、熱媒体の量よりも多い場合にも、対応することができる。
【００２２】
図２は、ヒートポンプ１の構成を示すブロック図である。ヒートポンプ１は、圧縮機１１と、熱交換器１２と、膨張弁１３と、熱交換器１４とを有する。圧縮機１１は、作動媒体（冷媒）を圧縮し、高温高圧の作動媒体を出力する。熱交換器１２は、その圧縮機１１により圧縮された高温高圧の作動媒体と、熱媒体との熱交換を行う。膨張弁１３は、熱交換器１２で熱交換された作動媒体を膨張させる。熱交換器１４は、膨張弁１３で膨張した作動媒体と、冷媒体との熱交換を行う。ここで、作動媒体は、環境に優しい自然冷媒（例えば、アンモニアや炭化水素（プロパン，ブタン等）、水、空気、二酸化炭素など）であることが好ましい。なお、熱交換器１２，１４における熱交換は、蓄熱材や蓄冷材を介して行ってもよく、熱交換器１２，１４が熱媒体、冷媒体を溜めているタンクであり、そのタンクにおいて作動媒体が放熱、あるいは吸熱することにより行ってもよく（この場合には、タンク１５，１６はなくてもよい）、あるいはその他の方法により行ってもよい。
【００２３】
次に、このようにして構成された金型温調装置の動作について説明する。射出成形においては、成形材料や成形品に求められる品質に応じて、溶融した成形材料を金型に射出（注入）するときの温度や、その成形材料を金型５のキャビティにおいて冷却するときの温度などが決められる。ここでは、射出成形機６が成形材料を金型５に射出する時には、金型５の温度を成形材料の熱変形温度よりも高い温度（Ｈ度とする）に保ち、射出工程が終了した後には、金型５の温度を成形材料の熱変形温度よりも低い温度（Ｃ度とする）にする場合について説明する。
【００２４】
まず、射出成形制御部７は、射出成形機６が成形材料を加熱溶融し、成形材料が可塑化すると、温度制御部２に対して、成形材料が可塑化した旨の工程情報を渡す。すると、温度制御部２は、バルブ４を調整することにより、熱媒体を金型５に循環させる。そして、温度計８からの温度情報に基づいて、金型５が所望の温度であるＨ度となるように、熱媒体４の流量を制御する。
【００２５】
金型５がＨ度となると、温度制御部２は、金型５がＨ度となった旨を射出成形制御部７に伝え、金型５をＨ度に保つようにバルブ４の調整を継続する。射出成形制御部７は、金型５がＨ度になった旨を受け取ると、金型５に溶融材料の射出を行うように射出成形機６を制御する。そして、金型５のキャビティに溶融材料が充填されていく。金型５のキャビティへの溶融材料の充填が終了した後に、射出成形制御部７は、射出が終了した旨の工程情報を温度制御部２に渡す。すると、温度制御部２は、バルブ４を閉じて、次にバルブ３を開いて冷媒体を金型５に循環させ、金型５の温度がＣ度になるようにバルブ３を調整する。そして、金型５に充填された成形材料は冷却され、最終的に成形品が金型５から取り出される。このように、金型温調装置１０は、冷媒体を金型５に供給することで、金型５を冷却することができ、熱媒体を金型５に供給することで、金型５を加熱することができ、冷媒体と熱媒体を用いて金型５の温度を調整することができる。
【００２６】
次に、作動媒体を圧縮、膨張させることにより、冷媒体を冷却し、熱媒体を加熱するヒートポンプ１の動作について、図２を用いて説明する。
圧縮機１１で圧縮され、高温高圧になった作動媒体は、熱交換器１２で熱媒体と熱交換することにより冷やされる。その後、作動媒体は、膨張弁１３において膨張して低温低圧となる。その低温低圧となった作動媒体は、熱交換器１４で冷媒体と熱交換することにより温められ、圧縮機１１で再度、圧縮される。このサイクルを繰り返すことにより、ヒートポンプ１により冷媒体から熱媒体に熱が移動され、冷媒体の冷却と、熱媒体の加熱が行われる。
【００２７】
なお、本実施の形態では、ヒートポンプ１の動作を制御するヒートポンプ制御部を図示していないが、冷媒体及び熱媒体の温度を調整するために、ヒートポンプ１の動作を制御するヒートポンプ制御部を設けてもよい。
【００２８】
このように、本実施の形態による金型温調装置によれば、冷媒体から熱媒体に熱を移動させるヒートポンプ１を備えたことで、電熱ヒーターにより熱媒体を温め、冷却機により冷媒体を冷やす場合よりもエネルギー効率を向上させることができる。また、ヒートポンプ１の作動媒体として、自然媒体を用いることにより、他の作動媒体（例えば、Ｒ２２）を用いた場合よりも、オゾン層の破壊などの環境破壊を防止することができ、環境への悪影響を抑えることができる。特に、自然媒体として二酸化炭素を用いた場合には、環境に優しく、かつ高効率とすることができる。
【００２９】
なお、本実施の形態では、射出のときに成形材料の熱変形温度よりも高温に保ち、充填後には熱変形温度よりも低温に保つ場合について説明したが、金型５の温度設定や、温度を調整するタイミング、温度を調整する方法は、成形材料や成形品の品質などに応じて、任意に設定できることはいうまでもない。例えば、冷媒体と熱媒体の双方を同時に金型５に循環させることにより、微妙な温度管理を行うようにしてもよい。
【００３０】
（実施の形態２）
本発明の実施の形態２による金型温調装置について、図面を参照しながら説明する。本実施の形態による金型温調装置は、成形材料の乾燥をヒートポンプにより行うものである。なお、金型温調装置の構成は、実施の形態１の図１と同様であり、その説明を省略する。
【００３１】
図３は、本実施の形態による金型温調装置におけるヒートポンプの構成を示すブロック図である。本実施の形態によるヒートポンプは、圧縮機１１と、熱交換器１２と、膨張弁１３と、熱交換器１４と、バルブ２０〜２３と、熱交換器２５とを有する。なお、バルブ２０〜２３、及び熱交換器２５以外の構成及び動作は、実施の形態１と同様であり、その説明を省略する。
【００３２】
バルブ２０〜２３が開閉されることにより、作動媒体の流れが調整される。熱交換器２５は、圧縮機１１からの高温高圧の作動媒体と、成形材料乾燥機２４の内部の空気との熱交換を行うことで、成形材料乾燥機２４の内部の空気を加熱し、成形材料を乾燥させる。
【００３３】
ここで、成形材料乾燥機２４は、成形材料が射出成形機６のホッパ（図示せず）に供給される前に成形材料を乾燥させるものである。成形材料乾燥機２４の上部から投入された成形材料は、成形材料乾燥機２４の内部で乾燥され、成形材料乾燥機２４の下部からホッパに供給される。この成形材料乾燥機２４により成形材料を乾燥させることで、成形時の不良の原因となりうる成形材料の水分を飛ばすことができる。
【００３４】
次に、本実施の形態による金型温調装置の動作について説明する。形成材料乾燥機２４を使用するときには、バルブ２０，２１を閉じ、バルブ２２，２３を開けることにより、圧縮機１１からの高温高圧の作動媒体を熱交換器２５に供給するように循環させる。そして、熱交換器２５が成形材料乾燥機２４の内部を加熱し、成形材料を乾燥させる。その乾燥後の成形材料は、射出成形機６のホッパに供給され、射出成形機６により溶融される。
【００３５】
一方、成形材料乾燥機２４を使用しないとき（例えば、成形材料のホッパへの供給が終了した後など）には、バルブ２２，２３を閉じ、バルブ２０，２１を開けることにより、圧縮機１１からの高温高圧の作動媒体を熱交換器１２に供給するように循環させる。この場合には実施の形態１と同様に動作し、金型５の加熱を行うことができる。
【００３６】
このように、本実施の形態による金型温調装置によれば、ヒートポンプにより成形材料の乾燥を行うことで、電熱ヒーターを用いることなく成形材料の乾燥を行うことができ、消費電力を削減することができる。
【００３７】
なお、本実施の形態では、熱媒体と熱交換する熱交換器１２と、成形材料を乾燥させる熱交換器２５とのいずれか一方を動作させる場合について説明したが、バルブ２０〜２３を調整することにより、両者を動作させてもよい。
【００３８】
また、必要であれば、成形材料乾燥機２４において、電熱ヒーターを併用してもよい。併用した場合であっても、熱交換器２５により成形材料乾燥機２４の内部の空気の温度を上昇させることができるため、熱交換器２５がない場合に比べ、消費電力を抑えることができる。
【００３９】
また、本実施の形態では、ヒートポンプにより成形材料の加熱乾燥を行う場合について説明したが、ヒートポンプの膨張弁１３で膨張された作用媒体と熱交換する熱交換器を用いて成形材料乾燥機内の除湿を行い、成形材料の除湿乾燥を行ってもよい。
【００４０】
（実施の形態３）
本発明の実施の形態３による金型温調装置について、図面を参照しながら説明する。本実施の形態による金型温調装置は、射出成形機のシリンダの予熱をヒートポンプにより行うものである。なお、金型温調装置の構成は、実施の形態１の図１と同様であり、その説明を省略する。
【００４１】
図４は、本実施の形態による金型温調装置におけるヒートポンプの構成を示すブロック図である。本実施の形態によるヒートポンプは、圧縮機１１と、熱交換器１２と、膨張弁１３と、熱交換器１４と、バルブ２０，２１，３１，３２と、熱交換器３５とを有する。なお、バルブ２０，２１，３１，３２、及び熱交換器３５以外の構成及び動作は、実施の形態１と同様であり、その説明を省略する。
【００４２】
バルブ２０，２１，３１，３２が開閉されることにより、作動媒体の流れが調整される。熱交換器３５は、シリンダ３３の外周を覆うように設けられ、圧縮機１１からの高温高圧の作動媒体と、シリンダ３３との熱交換を行うことで、シリンダ３３を加熱する。なお、熱交換器３５における作動媒体とシリンダ３３との熱交換は、直接的であってもよく、間接的であってもよい。直接的とは、シリンダ３３と直接熱交換を行うことであり、間接的とは、シリンダ３３の周りの空気や、シリンダ３３の周囲に設けられた物体（例えば、バンドヒーター３４）を介してシリンダ３３と熱交換を行うことである。
【００４３】
本実施の形態では、熱交換器３５による熱交換によってシリンダ３３の予熱を行い、シリンダ３３の外周に設けられたバンドヒーター３４によってシリンダ３３を所望の温度に加熱する場合について説明するが、熱交換器３５による熱交換によってシリンダ３３を所望の温度に加熱することができる場合には、バンドヒーター３４等を設けなくてもよい。
【００４４】
次に、本実施の形態による金型温調装置の動作について説明する。シリンダ３３の予熱を行う場合には、バルブ２０，２１を閉じ、バルブ３１，３２を開けることにより、圧縮機１１からの高温高圧の作動媒体が熱交換器３５に供給されるように循環させる。そして、熱交換器３５がシリンダ３３を加熱する。また、バンドヒーター３４を作動させることにより、シリンダ３３を所望の温度に加熱する。
【００４５】
一方、シリンダ３３の加熱を行わない場合には、バルブ３１，３２を閉じ、バルブ２０，２１を開けることにより、圧縮機１１からの高温高圧の作動媒体が熱交換器１２に供給されるように循環させる。この場合には実施の形態１と同様に動作し、金型５の加熱を行うことができる。
【００４６】
このように、本実施の形態による金型温調装置によれば、ヒートポンプによりシリンダ３３の加熱を行うことができ、シリンダ３３を加熱するバンドヒーター３４の消費電力を抑えることができる。
【００４７】
なお、本実施の形態では、熱媒体と熱交換する熱交換器１２と、シリンダ３３を加熱する熱交換器３５とのいずれか一方を動作させる場合について説明したが、バルブ２０，２１，３１，３２を調整することにより、両者を動作させてもよい。
【００４８】
（実施の形態４）
本発明の実施の形態４による金型温調装置について、図面を参照しながら説明する。本実施の形態による金型温調装置は、外気の冷却をヒートポンプにより行うものである。なお、金型温調装置の構成は、実施の形態の図１と同様であり、その説明を省略する。
【００４９】
図５は、本実施の形態による金型温調装置におけるヒートポンプの構成を示すブロック図である。本実施の形態によるヒートポンプは、圧縮機１１と、熱交換器１２と、膨張弁１３と、熱交換器１４と、バルブ４０〜４３と、熱交換器４４とを有する。なお、バルブ４０〜４３、及び熱交換器４４以外の構成及び動作は、実施の形態１と同様であり、その説明を省略する。
【００５０】
バルブ４０〜４３が開閉されることにより、作動媒体の流れが調整される。熱交換器４４は、膨張弁１３で膨張した作動媒体と、外気との熱交換を行い、外気の冷却を行う。ここで、外気とは、熱交換器４４に対する外部の空気のことであり、金型温調装置に対する外気であってもよく、金型温調装置内部の空気であってもよい。なお、外気が金型温調装置の内部の空気である場合には、熱交換器４４により冷却された空気を金型温調装置の外部に導くように送風することになる。
【００５１】
次に、本実施の形態による金型温調装置の動作ついて説明する。熱交換器４４を使用するときには、バルブ４０，４１を閉じ、バルブ４２，４３を開けることにより、膨張弁１３からの作動媒体を熱交換器４４に供給するように循環させる。そして、熱交換器４４が外気を冷却する。その冷却された外気は、例えば、射出成形機６からの熱により作業環境が高温となりうる作業員のためのスポットクーラーなどに用いられる。
【００５２】
一方、熱交換器４４を使用しないときには、バルブ４２，４３を閉じ、バルブ４０，４１を開けることにより、膨張弁１３からの作動媒体を熱交換器１４に供給するように循環させる。この場合には実施の形態１と同様に動作し、金型５の冷却を行うことができる。
【００５３】
このように、本実施の形態による金型温調装置によれば、ヒートポンプにより外気との熱交換を行うことで、外気を冷却する冷却機を別途設けることなく、外気を冷却することができ、コストを削減することができる。
【００５４】
なお、本実施の形態では、冷媒体と熱交換する熱交換器１４と、外気と熱交換する熱交換器４４とのいずれか一方を動作させる場合について説明したが、バルブ４０〜４３を調整することにより、両者を動作させてもよい。
また、熱交換器４４により冷却された外気は、作業員のスポットクーラーなどに用いてもよく、射出成形機６を冷却するために用いてもよく、その他の冷却のために用いてもよい。
【００５５】
（実施の形態５）
本発明の実施の形態５による金型温調装置について、図面を参照しながら説明する。本実施の形態による金型温調装置は、冷媒体により射出成形機の制御部を冷却するものである。
【００５６】
図６は、本実施の形態による金型温調装置の構成を示すブロック図である。図６において、図１と同一の符号は、同一または相当する構成を示し、それらについての説明は省略する。ヒートポンプ１により冷却された冷媒体は、金型５を循環すると共に、射出成形制御部７をも循環し、射出成形制御部７を冷却する。射出成形制御部７は一般に、ＣＰＵなどから構成され、温度が上昇しすぎると、熱暴走などにより射出成形機７の適切な制御ができなくなる。したがって、冷媒体を射出成形制御部７に循環させ、射出成形制御部７を冷却することにより、熱暴走等の誤動作を防止することができる。
【００５７】
なお、上記各実施の形態において、金型温調装置が温度制御部２を有する場合について説明したが、金型５に循環させる熱媒体及び冷媒体の流量の調整を金型温調装置の外部で行う場合には、金型温調装置は温度制御部２を有していなくてもよい。
【００５８】
また、上記各実施の形態において、ヒートポンプの作動媒体を成形材料の乾燥、シリンダの加熱、外気の冷却に用いる場合、またヒートポンプによって冷却された冷媒体を射出成形機の制御部の冷却に用いる場合について個別的に説明したが、それらを組み合わせて用いてもよい。
【００５９】
また、上記各実施の形態において、各動作モード（例えば、熱媒体との熱交換を行う動作モードや、成形材料の乾燥を行う動作モード、射出成形機のシリンダを予熱する動作モードなど）に応じて作動媒体の循環経路を切り替えるために、バルブの開閉を制御する制御部を設けてもよい。
【００６０】
【発明の効果】
以上の説明から明らかなように、本発明による金型温調装置によれば、ヒートポンプを用いて冷媒体から熱媒体に熱を移動させることにより、エネルギー効率を向上させることができる。
【図面の簡単な説明】
【図１】本発明の実施の形態１による金型温調装置の構成を示すブロック図
【図２】同実施の形態によるヒートポンプの構成を示すブロック図
【図３】本発明の実施の形態２におけるヒートポンプの構成を示すブロック図
【図４】本発明の実施の形態３におけるヒートポンプの構成を示すブロック図
【図５】本発明の実施の形態４におけるヒートポンプの構成を示すブロック図
【図６】本発明の実施の形態５による金型温調装置の構成を示すブロック図
【符号の説明】
１  ヒートポンプ
２  温度制御部
３，４，２０〜２３，３１，３２，４０〜４３  バルブ
５  金型
６  射出成形機
７  射出成形制御部
８  温度計
１０  金型温調装置
１１  圧縮機
１２，１４，３５，４４  熱交換器
１３  膨張弁
１５，１６  タンク
２４  成形材料乾燥機
３３  シリンダ
３４  バンドヒーター
【図１】
2005007736.tif 000003
【図２】
2005007736.tif 000004
【図３】
2005007736.tif 000005
【図４】
2005007736.tif 000006
【図５】
2005007736.tif 000007
【図６】
2005007736.tif 000008